(57)【特許請求の範囲】
【請求項１】
ヘッド上面のクラウン部に、フェース面と平行方向に凹溝又は凸部を複数設けて凹凸部を形成し、該凹凸部にフェース面と直交方向の打球方向指示線を設けたことを特徴とするパターヘッド。
【請求項２】
ヘッド上面のクラウン部に凹部を形成し、該凹部にフェース面と直交方向でかつ上下方向に波状の打球方向指示線を有する透明体を装着したことを特徴とするパターヘッド。
【請求項３】
前記打球方向指示線は、前記フェース面のスイートエリアを含む中央部を挟んで、ヒール側とトウ側の２箇所に設けられていることを特徴とする請求項１又は２記載のパターヘッド。
【発明の詳細な説明】
【０００１】
【発明の属する技術分野】
本発明は、ゴルフ競技用クラブのパターヘッドに関する。
【０００２】
【従来の技術】
グリーン上でパッティングをする際には、ゴルフボールを転がす目標ラインと平行に左右の足幅を肩幅と同じ位に広げ、膝を緩めて背筋を伸ばし、やや前傾姿勢で深くかがまずに目の位置をできるだけ高く保ちながら、ゴルフボールの真上に目を位置させ、パターヘッドのフェース面を目標ラインと直角にして、ゴルフボールの後方にパターヘッドのスイートエリアを位置させるようにアドレスするのが良いとされている。このため、パターヘッドには、スイートエリア部分の上面に、ポイントやフェース面と直交方向の打球方向指示線を設けて、フェース面を目標ラインに直角にしやすいようにしたものがある。
【０００３】
【発明が解決しようとする課題】
ところが、フェース面を目標ラインに直角にしても、目標ラインが仮想のラインであるところから、アドレス時にゴルフボールの真上に目を位置させることはなかなか簡単ではなかった。
【０００４】
そこで本発明は、アドレス時にゴルフボールの真上に目を位置させることが容易なパターヘッドを提供することを目的としている。
【０００５】
【課題を解決するための手段】
上記した目的を達成するため、本発明のパターヘッドは、請求項１の手段では、ヘッド上面のクラウン部に、フェース面と平行方向に凹溝又は凸部を複数設けて凹凸部を形成し、該凹凸部にフェース面と直交方向の打球方向指示線を設けたことを特徴とし、請求項２の手段では、ヘッド上面のクラウン部に凹部を形成し、該凹部にフェース面と直交方向でかつ上下方向に波状の打球方向指示線を有する透明体を装着したことを特徴としている。また、前記打球方向指示線は、前記フェース面のスイートエリアを含む中央部を挟んで、ヒール側とトウ側の２箇所に設けられていることが好ましい。
【０００６】
【発明の実施の形態】
以下、本発明を、図面に示す実施形態例に基づいて、さらに詳細に説明する。図１乃至図４は本発明の第１実施形態例を示すもので、ゴルフパター１は、パターヘッド２と、シャフト３と、該シャフト３上部のグリップ４とにより構成されている。パターヘッド２は、いわゆるマレットタイプのヘッドより大きな形状で、前面のフラットなフェース面５からバックサイド６までの長さの略半分を、フェース面５のヒール側からトウ側の長さと同長にし、その後方を平面視半円弧状にした形状の大型ヘッドに形成され、フェース面５近傍のヒール部分に前記シャフト３が取り付けられている。
【０００７】
このパターヘッド２は、フェース面５の高さをゴルフボール７の直径の約２／３程度とし、フェース面５の上部からバックサイド６に至るクラウン部８を、バックサイド６に向けて円弧状に低くしている。また、フェース面５の後部を、フェース面５からバックサイド６までの長さの約１／４を肉厚にしてフェース後方厚肉部９を形成するとともに、フェース面５のヒール側からトウ側の中間部分のスイートエリアの後方をバックサイド６まで肉厚にしてスイートエリア後方厚肉部１０を形成している。さらに、該スイートエリア後方厚肉部１０のヒール側とトウ側のクラウン部８にフェース面５と平行方向に凹溝１１を複数、本実施形態例では６本それぞれ刻設し、各凹溝１１と各凹溝１１間の凸部１２とで凹凸部１３ａ，１３ｂを形成している。
【０００８】
また、フェース後方厚肉部９のヒール側とトウ側の中心からスイートエリア後方厚肉部１０の上面に、フェース面５からバックサイド６にかけてフェース面と直交方向のセンター打球方向指示線１４を設けるとともに、該センター打球方向指示線１４のヒール側とトウ側に、フェース面５と直交方向のヒール側打球方向指示線１５とトウ側打球方向指示線１６とを設けている。
【０００９】
該ヒール側打球方向指示線１５及びトウ側打球方向指示線１６は、ゴルフボール７の直径と略同等の間隔で、フェース後方厚肉部９から凹凸部１３ａ，１３ｂの各凹溝１１及び各凸状部１２に平面視直線状に設けられている。
【００１０】
この構成により、アドレス時に、ゴルフボール７の真上に目を位置させた場合には、図１に示されるように、ヒール側打球方向指示線１５とトウ側打球方向指示線１６とが直線として視認できるが、ゴルフボール７の真上に目を位置できない場合には、図４に示されるように、凹凸部１３ａ，１３ｂのヒール側打球方向指示線１５とトウ側打球方向指示線１６とが直線として視認できず、波状のラインとして視認される。
【００１１】
したがって、アドレス時に、ヒール側打球方向指示線１５とトウ側打球方向指示線１６とが直線になるように目の位置を動かすことにより、ゴルフボール７の真上に目を位置させることが容易にできる。また、ヒール側打球方向指示線１５とトウ側打球方向指示線１６とが間隔を空けて設けられているので、目の位置が低いと、どちらか一方の打球方向指示線は直線に見えるが、他方の打球方向指示線は小さな波状に見えるので、目の位置を高くすることによって、ヒール側打球方向指示線１５とトウ側打球方向指示線１６の両方が直線として視認しやすくなる。これにより、ゴルフボール７の真上に目を位置させることが容易であるとともに、パッティングをする際の距離感の把握に有利である。さらに、ヒール側打球方向指示線１５及びトウ側打球方向指示線１６がゴルフボール７の直径と略同等の間隔で設けられ、その中央にセンター打球方向指示線１４が設けられているから、これらの３本の打球方向指示線によって、フェース面５のスイートエリアをゴルフボールの後方に容易に位置させることができる。
【００１２】
なお、上記実施形態例では、凹凸部１３ａ，１３ｂを複数の凹溝１１と各凹溝１１間の凸部１２とで形成したもので説明したが、複数の凸部をフェース面５と平行方向に設けて凹凸部を形成してもよい。また、ヒール側打球方向指示線１５とトウ側打球方向指示線１６の２本の打球方向指示線を設けたもので説明したが、打球方向指示線の数はこれにとらわれるものではなく、例えば、スイートエリアの後方に形成した凹凸部に１本の打球方向指示線を設けたものでもよい。
【００１３】
図５乃至図８は本発明の第２実施形態例を示すもので、本実施形態例において、前記第１実施形態例と同一要素には同一の符号を付して説明する。パターヘッド２は、クラウン部８のフェース後方厚肉部９からバックサイド６にかけて、ヒール側とトウ側の中間部分に凹部１７を形成し、該凹部１７に、合成樹脂やガラス等で形成された透明体１８を装着している。この透明体１８は、フェース面５からバックサイド６方向に長い２つの同一形状のピース１８ａ，１８ｂからなり、各ピース１８ａ，１８ｂのヒール側及びトウ側の端面には、上下方向に波状の線が設けられている。
【００１４】
この透明体１８を凹部１７に接着等により装着することにより、パターヘッド２のクラウン部８には、フェース面５と直交方向のセンター打球方向指示線１４、ヒール側打球方向指示線１５及びトウ側打球方向指示線１６が形成される。
【００１５】
これら打球方向指示線１４，１５，１６は、アドレス時に、ゴルフボール７の真上に目を位置させた場合には、図５に示されるように、直線として視認できるが、ゴルフボール７の真上に目を位置できない場合には、図８に示されるように、波状のラインとして視認されるから、前記第１実施形態例と同様の効果を奏する。
【００１６】
【発明の効果】
以上説明したように、本発明のパターヘッドは、請求項１の手段では、ヘッド上面のクラウン部に、フェース面と平行方向に凹溝又は凸部を複数設けて形成した凹凸部にフェース面と直交方向の打球方向指示線を設け、請求項２の手段では、ヘッド上面のクラウン部に形成した凹部にフェース面と直交方向でかつ上下方向に波状の打球方向指示線を有する透明体を装着したので、アドレス時に、ゴルフボールの真上に目を位置させた場合には、打球方向指示線が直線として視認できるが、ゴルフボールの真上に目を位置できない場合には、打球方向指示線が直線として視認できず、波状のラインとして視認されるから、打球方向指示線が直線になるように目の位置を動かすことにより、ゴルフボールの真上に目を位置させることが容易にできる。また、打球方向指示線をヒール側とトウ側の２箇所に設けることにより、目の位置を高くすれば、２本の打球方向指示線が直線として視認しやすくなるとともに、パッティングをする際の距離感の把握に有利である。
【図面の簡単な説明】
【図１】本発明の第１実施形態例のパターヘッドの平面図
【図２】同じく側面図
【図３】アドレス時の目の位置の相違を表す説明図
【図４】アドレス時にゴルフボールの真上に目が位置していない場合のパターヘッドの平面図
【図５】第２実施形態例のパターヘッドの平面図
【図６】図５のＶＩ−ＶＩ断面図
【図７】透明体の斜視図
【図８】アドレス時にゴルフボールの真上に目が位置していない場合のパターヘッドの平面図
【符号の説明】
１…ゴルフパター、２…パターヘッド、３…シャフト、４…グリップ、５…フェース面、６…バックサイド、７…ゴルフボール、８…クラウン部、１１…凹溝、１２…凸部、１３ａ，１３ｂ…凹凸部、１４…センター打球方向指示線、１５…ヒール側打球方向指示線、１６…トウ側打球方向指示線、１７…凹部、１８…透明体
【図１】
0003634274.tif 000002
【図２】
0003634274.tif 000003
【図３】
0003634274.tif 000004
【図４】
0003634274.tif 000005
【図５】
0003634274.tif 000006
【図６】
0003634274.tif 000007
【図７】
0003634274.tif 000008
【図８】
0003634274.tif 000009